(57)【要約】【課題】可動部を本体部に強固に固定することができ、しかも、その固定を簡単に解除することができるロック装置を備えるヘルメットを提供する。【解決手段】  着用者の頭部を覆う殻体１を構成する本体部３と、本体部３に支持されて本体部３に対して移動自在の可動部２と、可動部２を所定位置で解除可能に固定するロック装置７とを備える。ロック装置７は、可動部２の被係合部に係合して固定状態とする係合部材９と、係合部材９の可動部２への係合を操作に応じて解除する係合解除部材１０とを備える。係合解除部材１０は、本体部３の内面に沿って上下方向に移動自在に設けられ、係合部材９は、係合解除部材１０の移動方向に交差する方向から被係合部５に係合する。【選択図】図３
2020158907.tif 000002
【特許請求の範囲】
【請求項１】
着用者の頭部を覆う殻体を構成する本体部と、該本体部に支持されて該本体部に対して移動自在の可動部と、該可動部を所定位置で解除可能に固定するロック装置とを備えるヘルメットにおいて、
前記ロック装置は、前記可動部の被係合部に係合して固定状態とする係合部材と、該係合部材の前記可動部への係合を操作に応じて解除する係合解除部材とを備え、
前記係合解除部材は、前記本体部の内面に沿って上下方向に移動自在に設けられ、
前記係合部材は、前記係合解除部材の移動方向に交差する方向から前記被係合部に係合することを特徴とするヘルメット。
【請求項２】
前記ロック装置は、前記係合部材を前記可動部の被係合部に係合する方向に付勢する付勢部材を備え、
前記係合解除部材は、前記本体部の下端に露出して上方に向かって押圧操作する押圧操作部と、該押圧操作部の押圧操作に伴う上方への移動により前記可動部への係合を解除する方向に前記係合部材を案内するカム部とを備えることを特徴とする請求項１記載のヘルメット。
【請求項３】
前記本体部は、着用時に着用者の頭部の側部全周を覆う環状殻部材であり、
前記可動部は、着用時に着用者の頭部の上部を覆うドーム状殻部材であり、
該ドーム状殻部材は、前記環状殻部材に反転自在に設けられていることを特徴とする請求項１又は２記載のヘルメット。
【発明の詳細な説明】
【技術分野】
【０００１】
本発明は、ヘルメットに関する。
【背景技術】
【０００２】
殻体を構成する本体部と、移動自在の可動部とを備えるヘルメットとして、従来、殻体が、着用時に着用者の頭部の側部全周を覆う環状殻部材（本体部）と、着用時に着用者の頭部の上部を覆うドーム状殻部材（可動部）とで構成されるものが知られている（下記特許文献１参照）。
【０００３】
ドーム状殻部材は、環状殻部材の後頭部側の一か所に、ヒンジにより連結されている。このヒンジは、ドーム状殻部材を回転・反転させることができる構造となっている。これにより、環状殻部材の上部をドーム状殻部材で覆って、着用可能な状態とすることができ、ドーム状殻部材を環状殻部材から分離させ反転させて環状殻部材の内側に収容して折り畳み状態とすることができる。
【０００４】
上記従来のヘルメットは、着用可能とするとき、環状殻部材の前側上縁にある上向き突出ピンを、ドーム状殻部材の前側下縁の穴に差し込むことにより、環状殻部材とドーム状殻部材とが位置合わせされる。更に、ドーム状殻部材の前端部から延びる係合爪が環状殻部材の前端部の孔状の被係合部に係合することにより、環状殻部材にドーム状殻部材が固定される。
【０００５】
殻体構成する環状殻部材とドーム状殻部材とは合成樹脂やガラス繊維等を含む材料で形成され、ドーム状殻部材と一体の係合爪は弾性を有して撓ませることができるような突片形状に形成される。これにより、係合爪は弾発的に被係合部に嵌り込んで係合状態となる。また、着用可能状態から折り畳み状態とするときには、環状殻部材に対してドーム状殻部材を上方に押し上げることで、係合爪が撓んで被係合部から離脱し、環状殻部材からドーム状殻部材が分離する。
【０００６】
このように、上半部の係合爪の撓みを利用して環状殻部材の被係合部に係合させる構造を採用することで、係合及び係合解除操作を容易とすることができるだけでなく、構造簡単であるため製造も容易である。
【先行技術文献】
【特許文献】
【０００７】
【特許文献１】特開２０１８−７６６１４号公報
【発明の概要】
【発明が解決しようとする課題】
【０００８】
しかし、上記従来のヘルメットのような係合爪と被係合部との係合によると、上述したように係合及び係合解除操作が容易である反面、外部から衝撃を受けたときに係合が不用意に解除されてしまうおそれがある。そこで、係合爪を被係合部に対して比較的深く強固に係合する形状として、ヘルメットの着用可能状態を維持させることが考えられるが、こうすると、着用可能状態から折り畳み状態とするときには係合爪が被係合部から簡単に外れず、ヘルメットの折り畳み作業が困難となる不都合がある。
【０００９】
上記の点に鑑み、本発明は、可動部を本体部に強固に固定することができ、しかも、その固定を簡単に解除することができるロック装置を備えるヘルメットを提供することを目的とする。
【課題を解決するための手段】
【００１０】
かかる目的を達成するために、本発明は、殻体を構成する本体部と、該本体部に支持されて該本体部に対して移動自在の可動部と、該可動部を所定位置で解除可能に固定するロック装置とを備えるヘルメットにおいて、前記ロック装置は、前記可動部の被係合部に係合して固定状態とする係合部材と、該係合部材の前記可動部への係合を操作に応じて解除する係合解除部材とを備え、前記係合解除部材は、前記本体部の内面に沿って上下方向に移動自在に設けられ、前記係合部材は、前記係合解除部材の移動方向に交差する方向から前記被係合部に係合することを特徴とする。
【００１１】
本発明によれば、係合部材の被係合部への係合を、係合部材と別体の係合解除部材により解除できるようになっている。これにより、係合解除部材による解除が可能な範囲であれば、係合部材を被係合部に対して比較的大きく（深く）係合させることができる。よって、可動部を本体部に強固に固定することができ、しかも、その固定を簡単に解除することができる。
【００１２】
また、本発明において、前記ロック装置は、前記係合部材を前記可動部の被係合部に係合する方向に付勢する付勢部材を備え、前記係合解除部材は、前記本体部の下端に露出して上方に向かって押圧操作する押圧操作部と、該押圧操作部の押圧操作に伴う上方への移動により前記可動部への係合を解除する方向に前記係合部材を案内するカム部とを備えることを特徴とする。
【００１３】
係合部材が付勢部材により付勢されていることにより、可動部を本体部に対して所定位置まで移動させるだけで係合部が被係合部に係合するように構成することができる。
【００１４】
更に、カム部を設けて、係合解除部材の押圧操作部の操作により係合部材が解除方向に案内されるようにしたので、係合解除部材の移動が係合部材に確実に伝達される。そして、カム部は係合解除部材の移動に伴う係合部材の案内により係合部材を移動させるので、ロック装置を構成する部品点数を比較的少なくすることができると共に、強度も向上させることできる。しかも、カム部は、小さな動きを増幅させることができるので、係合部材を被係合部に対して深く係合させても、押圧操作部の操作量が小さくても係合部材を大きく動かすことができ、押圧操作部の操作性が向上する。
【００１５】
また、本発明において、前記本体部は、着用時に着用者の頭部の側部全周を覆う環状殻部材であり、前記可動部は、着用時に着用者の頭部の上部を覆うドーム状殻部材であり、該ドーム状殻部材は、前記環状殻部材に反転自在に設けられていることを特徴とする。
【００１６】
この構成のヘルメットに前記ロック装置を採用することで、本体部である環状殻部材に可動部であるドーム状殻部材を確実に固定して着用状態を形成することができる。
【図面の簡単な説明】
【００１７】
【図１】本発明の一実施形態のヘルメットの側面図。
【図２】本実施形態のヘルメットのドーム状殻部材を反転させた状態を示す側面図。
【図３】図１のヘルメットの殻体の説明的断面図。
【図４】第１ロック装置を示す説明的断面図。
【発明を実施するための形態】
【００１８】
本発明の一実施形態を図面に基づいて説明する。図１に示すように、本実施形態のヘルメットは、所謂乗車用ヘルメットであり、所定の衝撃試験に耐える硬質合成樹脂材料からなる殻体１を備えている。
【００１９】
図１及び図２に示すように、殻体１は、ドーム状殻部材２と環状殻部材３との２つの部材で構成されている。環状殻部材３は本発明の本体部に相当し、ドーム状殻部材２は本発明の可動部に相当する。
【００２０】
ドーム状殻部材２は、着用者の頭部の上部をドーム状に覆う形状に形成され、環状殻部材３はドーム状殻部材２の下部に位置して着用者の頭部の側部全周を覆う形状に形成されている。ドーム状殻部材２の最大外径となる下部周端縁の外径は、環状殻部材３の最小外径となる上部周端部の内径よりも僅かに小さく形成されている。
【００２１】
図１及び図２に示すように、ドーム状殻部材２は、枢軸４を介して環状殻部材３の上部に連結されている。枢軸４は、ドーム状殻部材２の左右に対向する位置で同一軸線上に設けられる。この枢軸４によって、ドーム状殻部材２は、枢軸４回りに回動自在とされている。そして、ドーム状殻部材２は、枢軸４回りに回動させることにより、図２に示すように、環状殻部材３に対して反転姿勢とすることができる
なお、ドーム状殻部材２の状態について、以下の説明においては、環状殻部材３の上方に露出して着用可能となる図１に示す状態を非反転姿勢と言い、環状殻部材３に対して反転させたことにより環状殻部材３の内部に収容された図２に示す状態を反転姿勢と言う。本実施形態においてドーム状殻部材２が非反転姿勢となっている状態は、着用時又は着用状態のときに相当し、ドーム状殻部材２が反転姿勢となっている状態は、非着用時に相当する。
【００２２】
図３に示すように、ドーム状殻部材２の内側にはドーム状殻部材２が受けた衝撃を吸収するためのドーム状ライナー２ａが設けられており、環状殻部材３の内側には環状殻部材３が受けた衝撃を吸収する環状ライナー３ａが設けられている。
【００２３】
また、ドーム状殻部材２の前側端部と後側端部とには、横長孔状の前側被係合部５と横長凹状の後側被係合部６とが形成されている。環状殻部材３は、前部側に第１ロック装置７を備え、後部側に第２ロック装置８を備えている。第１ロック装置７は、本発明の要旨にかかるロック装置である。
【００２４】
第１ロック装置７について詳説する。図４Ａび図４Ｂに示すように、第１ロック装置７は、係合部材９と係合解除部材１０とを備えている。
【００２５】
係合部材９は、上端部に内方に向かって突出する係合爪１１と、側面から突出する突起１２とを備えている。係合部材９は、支持部材１３に支持されている。
【００２６】
支持部材１３は、環状殻部材３の内面に固設されている。支持部材１３の内壁には、係合部材９の突起１２を係合爪１１の進退方向（本実施形態では前後方向）に案内する案内溝１４が形成されている。案内溝１４は、係合部材９の突起１２を介して係合部材９を上下動不能な状態で支持している。
【００２７】
図３に示すように、係合爪１１は、前側被係合部５と後側被係合部６との何れにも係合可能な形状とされ、前側被係合部５と後側被係合部６との形状に対応して横長に突出形成されている。これにより、係合爪１１は衝撃等を受けても欠損し難くなっており、前側被係合部５や後側被係合部６への係合が強固に維持される。
【００２８】
係合解除部材１０は、図４Ａ及び図４Ｂに示すように、係合部材９と支持部材１３との間に上下移動自在に介設された移動板１５と、移動板１５の下端に設けられた矩形板状の押圧操作部１６とを備えている。移動板１５には、傾斜する縁面からなるカム部１７が形成されている。係合部材９の突起１２は移動板１５を貫通しており、カム部１７には係合部材９の突起１２が接している。この状態により、支持部材１３は、係合部材９の突起１２を介して係合解除部材１０も支持している。
【００２９】
また、係合解除部材１０は、押圧操作部１６に凸部１８が形成されており、この凸部１８と環状殻部材３の内面の段差部（図示省略）との間には、付勢部材である押しバネ（図示省略）が取り付けられている。押しバネは、係合解除部材１０を下方に向かって付勢している。
【００３０】
例えば、図１に示すように、ドーム状殻部材２が非反転姿勢で、着用状態のときは、図４Ａに示すように、係合部材９の係合爪１１が前側被係合部５に係合している。この状態においては、押しバネが係合解除部材１０のカム部１７を介して係合部材９を、係合爪１１が前側被係合部５に係合する方向に付勢しているので、係合爪１１の前側被係合部５への係合は強固に維持される。
【００３１】
図４Ｂに示すように、押圧操作部１６を上方に押圧操作し、係合解除部材１０を環状殻部材３の内面に沿って上方に移動させる。これに伴い、カム部１７の傾斜する縁面に沿って係合部材９の突起１２が摺動する。そして、係合部材９の突起１２が支持部材１３の案内溝１４に案内され、係合部材９が環状殻部材３の内面に向かって移動する。これにより、係合部材９の係合爪１１は、前側被係合部５から離脱する。
【００３２】
このように、係合解除部材１０のカム部１７により、押圧操作部１６の押圧方向と異なる方向に係合部材９を移動させることができるので、係合部材９の係合方向と同一方向に操作する場合に比べてコンパクトな構成とすることができる。
【００３３】
このため、係合部材９の係合によりドーム状殻部材２を環状殻部材３に強固に固定することができ、しかも、係合部材９の係合を押圧操作部１６の押圧操作によって容易に解除することができる。
【００３４】
また、図３に示すように、第２ロック装置８は、環状殻部材３の後側に形成された開放部２０に収容されている。第２ロック装置８は、ベース部材２１と係合ブロック２２とを備えている。環状殻部材３と係合ブロック２２との間には、係合ブロック２２を環状殻部材３の内方に向かって付勢する付勢部材として押しバネ（図示省略）が設けられている。
【００３５】
係合ブロック２２の先端側には、前側被係合部５と後側被係合部６との何れにも係合可能な形状の係合爪２３が形成されている。係合ブロック２２の後端側には、引っ張り操作部２４が設けられている。引っ張り操作部２４は、下向きに開放する凹状に形成され、指掛け可能となっている。引っ張り操作部２４に指を掛けて押しバネの付勢に抗して係合ブロック２２を外方に引っ張ると、係合爪２３が前側被係合部５や後側被係合部６から離脱する。
【００３６】
第２ロック装置８は、環状殻部材３の外側に露出しているが、露出位置が後方側であるため目立つことはなく、外観への影響は殆どない。一方、第１ロック装置７は、環状殻部材３の前方に位置しているが、環状殻部材３の内側に設けられている。よって、前方からは第１ロック装置７が視認されることがなく、外観は全く低下しない。
【００３７】
なお、環状殻部材３の後側に、上記構成の第２ロック装置８に替えて、第１ロック装置７と同様な構成のロック装置を設けてもよい。
【００３８】
本実施形態においては、所謂乗車用ヘルメットを挙げて説明したが、本発明のヘルメットの用途はこれに限るものではなく、例えば、自転車用や産業用のヘルメットとしても上記構成を適用することが可能である。
【００３９】
また、本実施形態においては、本発明の本体部を環状殻部材３とし、本発明の可動部をドーム状殻部材２とし、環状殻部材３にドーム状殻部材２を固定する第１ロック装置７を本発明のロック装置として備えたものを挙げたが、本発明はこれに限らない。例えば、図示しないが、殻体を本体部とし、その内側に設けられた回動自在のバイザーを可動部とし、殻体にバイザーを所定位置で固定するロック装置を設けてもよい。この場合のロック装置として、上記第１ロック装置７の構成を採用することが可能である。
【符号の説明】
【００４０】
１…殻体、２…ドーム状殻部材（可動部）、３…環状殻部材（本体部）、７…第１ロック装置（ロック装置）、９…係合部材、１０…係合解除部材、１６…押圧操作部、１７…カム部。
【図１】
2020158907.tif 000003
【図２】
2020158907.tif 000004
【図３】
2020158907.tif 000005
【図４】
2020158907.tif 000006